【手続補正書】
【提出日】平成25年11月8日(2013.11.8)
【手続補正１】
【補正対象書類名】特許請求の範囲
【補正対象項目名】全文
【補正方法】変更
【補正の内容】
【特許請求の範囲】
【請求項１】
ナノ構造体を基材上に含む電極であって、
該ナノ構造体が、
炭素と金属触媒；および
該金属触媒、該炭素、もしくはこれら両方の少なくとも一部に直接隣接して配置されたアルキル保護層、ここで、該アルキル保護層は、アルキル保護層の形成を可能にする条件下にてアルキル保護部分から形成される；
を含み、
該アルキル保護部分が、一般式（Ｉ）
Ｒ１（ＣＨ２）ｎＲ２Ｘ      （Ｉ）
［式中、
Ｒ１は、水素、あるいはＣ１−５０の直鎖アルキルもしくは分岐鎖アルキル、またはＣ１−５０の直鎖アルケニルもしくは分岐鎖アルケニルであって、１つ以上のハロゲン原子で置換されていてもよく；
Ｒ２は、単結合、芳香族基もしくは脂環式基、−（ＯＣＨ２ＣＨ２）ｍ−、−（ＯＣＨ２ＣＨ２ＣＨ２）ｍ−、または−［ＯＣＨ２ＣＨ（ＣＨ３）］ｍ−であって、ｍとｎは互いに独立して０〜５００であり；
Ｘは、水素、ハロゲン、−Ｎ３、−ＣＮ、−ＯＨ、−ＯＳＯ３−、−ＯＲ、−ＳＨ、−ＳＲ、−Ｓ−Ｓ−Ｒ、−ＳＯ３Ｈ、−ＳＯ３Ｒ、−ＳＯ３−、−ＰＯ３Ｈ２、−ＰＯ３Ｈ−、−（ＰＯ３）２−、−Ｐ（＝Ｏ）（−ＯＲ’）（ＯＲ”）、−ＯＰＯ３Ｈ２、−ＯＰＯ３Ｈ−、−Ｏ（ＰＯ３）２−、−ＣＯＯＨ、−ＣＯＯ−、−ＣＯＯＲ、−ＣＯＮＲ’Ｒ”、−ＮＨ２、−ＮＲ’Ｒ”、−Ｎ（ＣＯＲ’）Ｒ”、−Ｎ＋Ｒ’Ｒ”Ｒ”’、−Ｎ＋Ｃ５Ｈ５、−（ＯＣＨ２ＣＨ２）ｍ−ＯＲ、−（ＯＣＨ２ＣＨ２ＣＨ２）ｍ−ＯＲ、−［ＯＣＨ２ＣＨ（ＣＨ３）］ｍ−ＯＲ、ポリオール、または単糖類もしくは単糖類のポリエチレンオキシド誘導体であり；
Ｒは、Ｒ１、Ｒ１（ＣＨ２）ｎＲ２、または−（ＣＨ２）ｎＲ２Ｘであり；そして
Ｒ’とＲ”とＲ”’は、互いに独立して水素、アルキル、シクロアルキル、１つ以上のヒドロキシル基で置換されたアルキルもしくはシクロアルキル、１つ以上のカルボキシル基で置換されたアルキルもしくはシクロアルキル、−（ＣＨ２ＣＨ２Ｏ）ｎＲ、−（ＣＨ２ＣＨ２ＣＨ２Ｏ）ｎＲ、または−［ＣＨ２ＣＨ（ＣＨ３）Ｏ］ｎＲである］
を有する化合物を含む、上記電極。
【請求項２】
前記アルキル保護部分が、式（ＩＩ）、式（ＩＩＩ）、またはこれらの両方
【化１】
2013510792.tif 000001
［式中、
Ｒ１は、水素、あるいはＣ１−５０の直鎖アルキルもしくは分岐鎖アルキル、またはＣ１−５０の直鎖アルケニルもしくは分岐鎖アルケニルであって、１つ以上のハロゲン原子で置換されていてもよく；
Ｒ２は、単結合、芳香族基もしくは脂環式基、−（ＯＣＨ２ＣＨ２）ｍ−、−（ＯＣＨ２ＣＨ２ＣＨ２）ｍ−、または−［ＯＣＨ２ＣＨ（ＣＨ３）］ｍ−であり；
ｍとｎは互いに独立して０〜５００であり；
Ｘは、水素、ハロゲン、−Ｎ３、−ＣＮ、−ＯＨ、−ＯＳＯ３−、−ＯＲ、−ＳＨ、−ＳＲ、−Ｓ−Ｓ−Ｒ、−ＳＯ３Ｈ、−ＳＯ３Ｒ、−ＳＯ３−、−ＰＯ３Ｈ２、−ＰＯ３Ｈ−、−（ＰＯ３）２−、−Ｐ（＝Ｏ）（−ＯＲ’）（ＯＲ”）、−ＯＰＯ３Ｈ２、−ＯＰＯ３Ｈ−、−Ｏ（ＰＯ３）２−、−ＣＯＯＨ、−ＣＯＯ−、−ＣＯＯＲ、−ＣＯＮＲ’Ｒ”、−ＮＨ２、−ＮＲ’Ｒ”、−Ｎ（ＣＯＲ’）Ｒ”、−Ｎ＋Ｒ’Ｒ”Ｒ”’、−Ｎ＋Ｃ５Ｈ５、−（ＯＣＨ２ＣＨ２）ｍ−ＯＲ、−（ＯＣＨ２ＣＨ２ＣＨ２）ｍ−ＯＲ、−［ＯＣＨ２ＣＨ（ＣＨ３）］ｍ−ＯＲ、ポリオール、または単糖類もしくは単糖類のポリエチレンオキシド誘導体であり；
Ｒは、Ｒ１、Ｒ１（ＣＨ２）ｎＲ２、または−（ＣＨ２）ｎＲ２Ｘであり；そして
Ｒ’とＲ”とＲ”’は、互いに独立して水素、アルキル、シクロアルキル、１つ以上のヒドロキシル基で置換されたアルキルもしくはシクロアルキル、１つ以上のカルボキシル基で置換されたアルキルもしくはシクロアルキル、−（ＣＨ２ＣＨ２Ｏ）ｎＲ、−（ＣＨ２ＣＨ２ＣＨ２Ｏ）ｎＲ、または−［ＣＨ２ＣＨ（ＣＨ３）Ｏ］ｎＲである］
の化合物を含む、請求項１に記載の電極。
【請求項３】
前記アルキル保護部分が、式（ＩＶ）
【化２】
2013510792.tif 000002
［式中、
Ｒ３とＲ４は、互いに独立して水素、ハロゲン、シアノ、無水マレイン酸基、フェニル、または１つ以上のハロゲン原子で置換されていてもよいＣ１−５０の直鎖アルキルもしくは分岐鎖アルキルであり；
Ｙは、単結合、−Ｏ−、−ＣＯ−、−ＣＯ−Ｏ−、−Ｏ−ＣＯ−、−ＣＯＮＲ’−、−Ｏ−ＣＯＮＲ’−、または−ＮＲ’−ＣＯ−であって、Ｒ’は水素またはアルキル基であり；そして
ｎは１０〜５００である］
のホモポリマーまたはコポリマーである、請求項１に記載の電極。
【請求項４】
前記アルキル保護部分が、式（Ｖ）
【化３】
2013510792.tif 000003
［式中、
Ｒ５は、水素、ハロゲン、または１つ以上のハロゲン原子で置換されていてもよいＣ１−５０の直鎖アルキルもしくは分岐鎖アルキルであり；
ｎは１０〜５００である］
のポリマーである、請求項１に記載の電極。
【請求項５】
前記アルキル保護部分が、式（ＶＩ）
【化４】
2013510792.tif 000004
［式中、
Ｒ６は、１つ以上のハロゲン原子で置換されていてもよいＣ１−５０の直鎖アルキルもしくは分岐鎖アルキルであり；
ｎは１０〜５００である］
のポリマーである、請求項１に記載の電極。
【請求項６】
前記アルキル保護部分が、アルキルホスホン酸、アルキルホスホネート、アルカン、アルカノール、アルキルカルボン酸、アルキルカルボキシレート、ポリオキシエチレンアルキルエーテル、アルキルアミン、アルキルサルフェート、アルカンチオール、アルキルスルホネート、アルキル第四アンモニウム塩、アルキルベタイン、ポリオキシエチレンアルキルエーテルサルフェート、ポリ（無水マレイン酸−ａｌｔ−１−オクタデセン）、ペルフルオロ−アルカン、またはこれらの任意の組み合わせを含む、請求項１に記載の電極。
【請求項７】
アルキル保護部分が、式（ＶＩＩ）
Ｒ−（ＯＣＨ２ＣＨ２）ｎ−ＯＲ１      （ＶＩＩ）
［式中、
Ｒは、置換されていてもよい、４〜１８個の炭素原子を有する、直鎖または分岐鎖の飽和アルキル鎖、炭素アルキル鎖、もしくはヘテロアルキル鎖であり；
ｎは１〜３０であり；そして
Ｒ１は、水素、Ｒ、−ＳＯ３−、または−ＰＯ３２である］
を有するポリオキシエチレンアルキルエーテルを含む、請求項１に記載の電極。
【請求項８】
前記カーボンナノ構造体がカーボンナノチューブを含む、請求項１に記載の電極。
【請求項９】
前記基材が、シリコン、ポリシリコン、酸化ケイ素、または拡散バリア層を含む、請求項１に記載の電極。
【請求項１０】
前記金属触媒が、ニッケル、コバルト、または鉄を含む、請求項１に記載の電極。
【手続補正２】
【補正対象書類名】明細書
【補正対象項目名】０１６４
【補正方法】変更
【補正の内容】
【０１６４】
[0158]本明細書中に引用もしくは記載の、それぞれの特許、特許出願、および刊行物の開示内容全体を、参照により本明細書に含める。
これに限定されるものではないが、本発明は以下の態様の発明を包含する。
［１］炭素と金属触媒を基材上に含んでなるナノ構造体の保護方法であって、アルキル保護部分を含む組成物と該ナノ構造体とを、該金属触媒、該炭素、もしくはこれら両方の少なくとも一部に直接隣接して配置されたアルキル保護層の形成を可能にする条件下にて接触させることを含む上記方法。
［２］前記カーボンナノ構造体がカーボンナノチューブを含む、［１］に記載の方法。
［３］前記基材が、シリコン、ポリシリコン、酸化ケイ素、または拡散バリア層を含む、［１］に記載の方法。
［４］前記金属触媒が、ニッケル、コバルト、または鉄を含む、［１］に記載の方法。
［５］前記アルキル保護部分が、一般式（Ｉ）
Ｒ１（ＣＨ２）ｎＲ２Ｘ      （Ｉ）
［式中、
Ｒ１は、水素、あるいはＣ１−５０の直鎖アルキルもしくは分岐鎖アルキル、またはＣ１−５０の直鎖アルケニルもしくは分岐鎖アルケニルであって、１つ以上のハロゲン原子で置換されていてもよく；
Ｒ２は、単結合、芳香族基もしくは脂環式基、−（ＯＣＨ２ＣＨ２）ｍ−、−（ＯＣＨ２ＣＨ２ＣＨ２）ｍ−、または−［ＯＣＨ２ＣＨ（ＣＨ３）］ｍ−であって、ｍとｎは互いに独立して０〜５００であり；
Ｘは、水素、ハロゲン、−Ｎ３、−ＣＮ、−ＯＨ、−ＯＳＯ３−、−ＯＲ、−ＳＨ、−ＳＲ、−Ｓ−Ｓ−Ｒ、−ＳＯ３Ｈ、−ＳＯ３Ｒ、−ＳＯ３−、−ＰＯ３Ｈ２、−ＰＯ３Ｈ−、−（ＰＯ３）２−、−Ｐ（＝Ｏ）（−ＯＲ’）（ＯＲ”）、−ＯＰＯ３Ｈ２、−ＯＰＯ３Ｈ−、−Ｏ（ＰＯ３）２−、−ＣＯＯＨ、−ＣＯＯ−、−ＣＯＯＲ、−ＣＯＮＲ’Ｒ”、−ＮＨ２、−ＮＲ’Ｒ”、−Ｎ（ＣＯＲ’）Ｒ”、−Ｎ＋Ｒ’Ｒ”Ｒ”’、−Ｎ＋Ｃ５Ｈ５、−（ＯＣＨ２ＣＨ２）ｍ−ＯＲ、−（ＯＣＨ２ＣＨ２ＣＨ２）ｍ−ＯＲ、−［ＯＣＨ２ＣＨ（ＣＨ３）］ｍ−ＯＲ、ポリオール、または単糖類もしくは単糖類のポリエチレンオキシド誘導体であり；
Ｒは、Ｒ１、Ｒ１（ＣＨ２）ｎＲ２、または−（ＣＨ２）ｎＲ２Ｘであり；そして
Ｒ’とＲ”とＲ”’は、互いに独立して水素、アルキル、シクロアルキル、１つ以上のヒドロキシル基で置換されたアルキルもしくはシクロアルキル、１つ以上のカルボキシル基で置換されたアルキルもしくはシクロアルキル、−（ＣＨ２ＣＨ２Ｏ）ｎＲ、−（ＣＨ２ＣＨ２ＣＨ２Ｏ）ｎＲ、または−［ＣＨ２ＣＨ（ＣＨ３）Ｏ］ｎＲである］
を有する化合物を含む、［１］に記載の方法。
［６］前記アルキル保護部分が、式（ＩＩ）、式（ＩＩＩ）、またはこれらの両方
【化１９】
2013510792.tif 000005
［式中、
Ｒ１は、水素、あるいはＣ１−５０の直鎖アルキルもしくは分岐鎖アルキル、またはＣ１−５０の直鎖アルケニルもしくは分岐鎖アルケニルであって、１つ以上のハロゲン原子で置換されていてもよく；
Ｒ２は、単結合、芳香族基もしくは脂環式基、−（ＯＣＨ２ＣＨ２）ｍ−、−（ＯＣＨ２ＣＨ２ＣＨ２）ｍ−、または−［ＯＣＨ２ＣＨ（ＣＨ３）］ｍ−であり；
ｍとｎは互いに独立して０〜５００であり；
Ｘは、水素、ハロゲン、−Ｎ３、−ＣＮ、−ＯＨ、−ＯＳＯ３−、−ＯＲ、−ＳＨ、−ＳＲ、−Ｓ−Ｓ−Ｒ、−ＳＯ３Ｈ、−ＳＯ３Ｒ、−ＳＯ３−、−ＰＯ３Ｈ２、−ＰＯ３Ｈ−、−（ＰＯ３）２−、−Ｐ（＝Ｏ）（−ＯＲ’）（ＯＲ”）、−ＯＰＯ３Ｈ２、−ＯＰＯ３Ｈ−、−Ｏ（ＰＯ３）２−、−ＣＯＯＨ、−ＣＯＯ−、−ＣＯＯＲ、−ＣＯＮＲ’Ｒ”、−ＮＨ２、−ＮＲ’Ｒ”、−Ｎ（ＣＯＲ’）Ｒ”、−Ｎ＋Ｒ’Ｒ”Ｒ”’、−Ｎ＋Ｃ５Ｈ５、−（ＯＣＨ２ＣＨ２）ｍ−ＯＲ、−（ＯＣＨ２ＣＨ２ＣＨ２）ｍ−ＯＲ、−［ＯＣＨ２ＣＨ（ＣＨ３）］ｍ−ＯＲ、ポリオール、または単糖類もしくは単糖類のポリエチレンオキシド誘導体であり；
Ｒは、Ｒ１、Ｒ１（ＣＨ２）ｎＲ２、または−（ＣＨ２）ｎＲ２Ｘであり；そして
Ｒ’とＲ”とＲ”’は、互いに独立して水素、アルキル、シクロアルキル、１つ以上のヒドロキシル基で置換されたアルキルもしくはシクロアルキル、１つ以上のカルボキシル基で置換されたアルキルもしくはシクロアルキル、−（ＣＨ２ＣＨ２Ｏ）ｎＲ、−（ＣＨ２ＣＨ２ＣＨ２Ｏ）ｎＲ、または−［ＣＨ２ＣＨ（ＣＨ３）Ｏ］ｎＲである］
の化合物を含む、［１］に記載の方法。
［７］前記アルキル保護部分が、式（ＩＶ）
【化２０】
2013510792.tif 000006
［式中、
Ｒ３とＲ４は、互いに独立して水素、ハロゲン、シアノ、無水マレイン酸基、フェニル、または１つ以上のハロゲン原子で置換されていてもよいＣ１−５０の直鎖アルキルもしくは分岐鎖アルキルであり；
Ｙは、単結合、−Ｏ−、−ＣＯ−、−ＣＯ−Ｏ−、−Ｏ−ＣＯ−、−ＣＯＮＲ’−、−Ｏ−ＣＯＮＲ’−、または−ＮＲ’−ＣＯ−であって、Ｒ’は水素またはアルキル基であり；そして
ｎは１０〜５００である］
のホモポリマーまたはコポリマーである、［１］に記載の方法。
［８］前記アルキル保護部分が、式（Ｖ）
【化２１】
2013510792.tif 000007
［式中、
Ｒ５は、水素、ハロゲン、または１つ以上のハロゲン原子で置換されていてもよいＣ１−５０の直鎖アルキルもしくは分岐鎖アルキルであり；
ｎは１０〜５００である］
のポリマーである、［１］に記載の方法。
［９］前記アルキル保護部分が、式（ＶＩ）
【化２２】
2013510792.tif 000008
［式中、
Ｒ６は、１つ以上のハロゲン原子で置換されていてもよいＣ１−５０の直鎖アルキルもしくは分岐鎖アルキルであり；
ｎは１０〜５００である］
のポリマーである、［１］に記載の方法。
［１０］前記アルキル保護部分が、アルキルホスホン酸、アルキルホスホネート、アルカン、アルカノール、アルキルカルボン酸、アルキルカルボキシレート、ポリオキシエチレンアルキルエーテル、アルキルアミン、アルキルサルフェート、アルカンチオール、アルキルスルホネート、アルキル第四アンモニウム塩、アルキルベタイン、ポリオキシエチレンアルキルエーテルサルフェート、ポリ（無水マレイン酸−ａｌｔ−１−オクタデセン）、ペルフルオロ−アルカン、またはこれらの任意の組み合わせを含む、［１］に記載の方法。
［１１］アルキル保護部分が、式（ＶＩＩ）
Ｒ−（ＯＣＨ２ＣＨ２）ｎ−ＯＲ１      （ＶＩＩ）
［式中、
Ｒは、置換されていてもよい、４〜１８個の炭素原子を有する、直鎖または分岐鎖の飽和アルキル鎖、炭素アルキル鎖、もしくはヘテロアルキル鎖であり；
ｎは１〜３０であり；そして
Ｒ１は、水素、Ｒ、−ＳＯ３−、または−ＰＯ３２である］
を有するポリオキシエチレンアルキルエーテルを含む、［１］に記載の方法。
［１２］前記組成物がさらに溶媒を含み、ここで該溶媒が、前記アルキル保護部分を溶解し、前記ナノ構造体または前記基材を溶解しない、［１］に記載の方法。
［１３］前記溶媒が、ＴＨＦ、イソプロピルアルコール、酢酸エチル、ヘキサン、アセトン、塩化メチレン、クロロホルム、Ｎ，Ｎ−ジメチルホルムアルデヒド、ジメチルスルホキシド、および超臨界ＣＯ２の１種以上を含む、［１２］に記載の方法。
［１４］前記基材を前記組成物中に浸漬する、［１］に記載の方法。
［１５］前記基材に前記組成物を噴霧する、［１］に記載の方法。
［１６］前記組成物を前記基材上にスピンコーティングする、［１］に記載の方法。
［１７］前記組成物を前記基材上にドロップキャストする、［１］に記載の方法。
［１８］前記ナノ構造体と前記組成物とを、前記ナノ構造体の湿潤性を増大させる条件下にて接触させる、［１］に記載の方法。
［１９］ナノ構造体を基材上に含む電極であって、該ナノ構造体が、炭素と金属触媒を含み、［１］に記載の方法に従って保護されている、上記電極。
［２０］［１］に記載の方法に従って保護されている、炭素と金属触媒を含むナノ構造体。
［２１］作用電極と参照電極間に電圧を加えて作用電極と補助電極間に電流を生じさせることを含む流体中の電気化学種の検出方法であって、該作用電極がナノ構造体を基材上に含み、該ナノ構造体が、炭素、金属触媒、ならびに、該炭素、該金属触媒、もしくはこれら両方の少なくとも一部に直接隣接して配置されたアルキル保護部分層を形成するアルキル保護部分を含み、そして該電流が該流体中の該電気化学種の濃度に比例する、上記方法。
［２２］前記電気化学種が遊離アミンまたは全アミンを含む、［２１］に記載の方法。
［２３］作用電極と参照電極間に電圧を加えて作用電極と参照電極間に電流を生じさせることを含む流体中の電気化学種の検出方法であって、該作用電極がナノ構造体を基材上に含み、該ナノ構造体が、炭素、金属触媒、ならびに、該炭素、該金属触媒、もしくはこれら両方の少なくとも一部に直接隣接して配置されたアルキル保護部分層を形成するアルキル保護部分を含み、そして該電流が該流体中の該電気化学種の濃度に比例する、上記方法。
［２４］水性流体中の電気化学種の検出方法であって、
ａ）該電気化学種と反応する試薬と、該水性流体とを含む溶液を形成させること；
ｂ）作用電極、補助電極、および参照電極と該溶液とを接触させること、ここで該作用電極がナノ構造体を基材上に含み、該ナノ構造体が、炭素、金属触媒、ならびに、該炭素、該金属触媒、もしくはこれら両方の少なくとも一部に直接隣接したアルキル保護部分層を形成するアルキル保護部分を含む；
ｃ）作用電極と参照電極間に電圧を加え、これによって作用電極と補助電極間に電流を生じさせること；
ｄ）電流を測定すること；および
ｅ）該測定電流を、該水性流体中の該電気化学種の量に相関させること；を含む上記方法。
［２５］前記電気化学種が遊離塩素または全塩素を含む、［２４］に記載の方法。
［２６］前記試薬がＮ，Ｎ−ジエチル−ｐ−フェニレンジアミンの塩を含み、前記測定電流を、前記水性流体中の遊離塩素の量に相関させる、［２４］に記載の方法。
［２７］前記試薬がヨウ化カリウムを含み、前記測定電流を、前記水性流体中の遊離塩素の量に相関させる、［２４］に記載の方法。
［２８］水性流体中の電気化学種の検出方法であって、
ａ）該電気化学種と反応する試薬と、該水性流体とを含む溶液を形成させること；
ｂ）作用電極および参照電極と該溶液とを接触させること、ここで該作用電極がナノ構造体を基材上に含み、該ナノ構造体が、炭素、金属触媒、ならびに、該炭素、該金属触媒、もしくはこれら両方の少なくとも一部に直接隣接したアルキル保護部分層を形成するアルキル保護部分を含む；
ｃ）作用電極と参照電極間に電圧を加え、これによって作用電極と参照電極間に電流を生じさせること；
ｄ）電流を測定すること；および
ｅ）該測定電流を、該水性流体中の該電気化学種の量に相関させること；を含む上記方法。
［２９］ナノ構造体を基材上に含む電極を使用して、流体中の遊離塩素、全塩素、もしくはこれら両方を検出することを含む方法であって、ここで該ナノ構造体が、炭素、金属触媒、ならびに、該炭素、該金属触媒、もしくはこれら両方の少なくとも一部に直接隣接したアルキル保護部分層を形成するアルキル保護部分を含む、上記方法。
［３０］炭素と金属触媒を基材上に含むナノ構造体の表面疎水性の修飾方法であって、アルキル保護部分を含む組成物と該ナノ構造体とを、該炭素、該金属触媒、もしくはこれら両方の少なくとも一部に直接隣接したアルキル保護部分層の形成を可能にする条件下にて接触させることを含み、これにより該接触ナノ構造体は、該組成物と接触させる前の該ナノ構造体と比較して、増大した湿潤性を有することを特徴とする、上記方法。
［３１］前記ナノ構造体と前記組成物とを、前記組成物と接触させる前の前記ナノ構造体の有効電極表面積に実質的に等しい、電気化学的検出のための有効電極表面積を有する前記接触ナノ構造体を生じさせる条件下にて接触させる、［３０］に記載の方法。
［３２］前記アルキル保護部分が、アルキルホスホン酸、アルキルホスホネート、アルカン、アルカノール、アルキルカルボン酸、アルキルカルボキシレート、ポリオキシエチレンアルキルエーテル、アルキルアミン、アルキルサルフェート、アルカンチオール、アルキルスルホネート、アルキル第四アンモニウム塩、アルキルベタイン、ポリオキシエチレンアルキルエーテルサルフェート、ポリ（無水マレイン酸−ａｌｔ−１−オクタデセン）、ペルフルオロ−アルカン、またはこれらの任意の組み合わせを含む、［３０］に記載の方法。
［３３］基材上に配置された保護ナノ構造体を含む電極であって、該保護ナノ構造体が、炭素と金属触媒を含んでなるナノ構造体を含み、該ナノ構造体がさらに、該炭素、該金属触媒、もしくはこれら両方の少なくとも一部に直接隣接して配置されたアルキル保護部分層を含み、該保護ナノ構造体が、該ナノ構造体と比較して増大した湿潤性を有することを特徴とする、上記電極。
［３４］炭素と金属触媒を含んでいて、そして該炭素、該金属触媒、もしくはこれら両方の少なくとも一部に直接隣接して配置されたアルキル保護部分層をさらに含んでなるナノ構造体を含み、該ナノ構造体と比較して増大した湿潤性を有することを特徴とする、保護されたナノ構造体。
［３５］アルキル保護部分を含む組成物とナノ構造体とを、該ナノ構造体の少なくとも一部に直接隣接したアルキル保護部分層の形成を可能にする条件下にて接触させることを含み、該アルキル保護部分層は、該ナノ構造体上への電気化学種の非特異的吸着を最小限に抑えることができる、化学的に実質的に不活性であるナノ構造体の製造方法。
［３６］前記アルキル保護部分が、アルキルホスホン酸、アルキルホスホネート、アルカン、アルカノール、アルキルカルボン酸、アルキルカルボキシレート、ポリオキシエチレンアルキルエーテル、アルキルアミン、アルキルサルフェート、アルカンチオール、アルキルスルホネート、アルキル第四アンモニウム塩、アルキルベタイン、ポリオキシエチレンアルキルエーテルサルフェート、ポリ（無水マレイン酸−ａｌｔ−１−オクタデセン）、ペルフルオロ−アルカン、またはこれらの任意の組み合わせを含む、［３５］に記載の方法。
［３７］前記ナノ構造体が、炭素、金属触媒、もしくはこれら両方を含む、［３５］に記載の方法。
［３８］基材上に配置された保護ナノ構造体を含む電極であって、該保護ナノ構造体が、炭素と金属触媒を含んでなるナノ構造体を含み、該ナノ構造体がさらに、該炭素、該金属触媒、もしくはこれら両方の少なくとも一部に直接隣接して配置されたアルキル保護部分層を含み、該保護ナノ構造体が、該ナノ構造体と比較して、電気化学種の非特異的吸着が減少することを特徴とする、上記電極。
［３９］炭素と金属触媒を含んでいて、そして該炭素、該金属触媒、もしくはこれら両方の少なくとも一部に直接隣接して配置されたアルキル保護部分層をさらに含んでなるナノ構造体を含み、該ナノ構造体と比較して、電気化学種の非特異的吸着が減少することを特徴とする、保護されたナノ構造体。
［４０］導電性構造物を基材上に含む電極であって、該導電性構造物が、導電層と、導電層の少なくとも一部に直接隣接して配置されたアルキル保護部分とを含み、該導電性構造物が、該導電層と比較して、表面疎水性の低下、バックグラウンド非ファラデー電流の減少、および電気化学種の非特異的吸着の減少の１つ以上を有することを特徴とする上記電極。
［４１］前記導電層が、ダイヤモンド、グラファイト、またはカーボンナノ構造体を含む、［４０］に記載の電極。
［４２］前記導電層が、２Ｄ−３Ｄグラフェン構造物を含むグラファイト、スクリーン印刷カーボンナノチューブペースト、またはこれらの組み合わせを含む、［４１］に記載の電極。
［４３］アルキル保護成分を含む組成物と導電層とを、該導電層の少なくとも一部に直接隣接したアルキル保護部分層の形成を可能にする条件下にて接触させることを含む方法であって、該アルキル保護部分層は、該導電層上への電気化学種の非特異的吸着を最小限に抑えることができる、上記方法。
［４４］前記導電層が、ダイヤモンド、グラファイト、またはカーボンナノ構造体を含む、［４３］に記載の方法。
［４５］前記導電層が、２Ｄ−３Ｄグラフェン構造物を含むグラファイト、スクリーン印刷カーボンナノチューブペースト、またはこれらの組み合わせを含む、［４４］に記載の方法。